(57)【特許請求の範囲】
【請求項１】
動作時に発熱する発熱部品を含む電子部品が収容された筐体と、
前記発熱部品からの熱が伝達される複数のフィンを含む放熱体と、前記放熱体に空気を送るファンとを有し、前記放熱体に伝達された前記発熱部品からの熱を、前記ファンからの空気と熱交換させて、この加温された空気を前記筐体の外部に放出する放熱ユニットとを備えた電子機器であって、
前記放熱体は、前記ファンの排気口に密着させて配置されており、かつ、
前記放熱体の、前記ファンと対向する側の面と反対側の面に設けられ、当該面を開閉する第１のシャッタ手段と、
前記ファンのファンケースに、前記排気口とファン本体との間に位置して形成された開口部とを備えたことを特徴とする電子機器。
【請求項２】
前記開口部に設けられ、当該開口部を開閉する第２のシャッタ手段を備える、請求項１に記載の電子機器。
【請求項３】
前記開口部が、前記ファンケースの下面に形成された、請求項１に記載の電子機器。
【発明の詳細な説明】
【技術分野】
【０００１】
本開示は、熱交換用の複数のフィンを備えた放熱体を有する放熱ユニットを搭載した電子機器に関する。
【背景技術】
【０００２】
この種のノートパソコン等に搭載される放熱ユニットにおいては、中央処理装置（ＣＰＵ）等の、動作時に発熱する電子部品（発熱部品）からの熱を、ヒートパイプ等によって放熱体に運び、そこでファンから送られてくる空気（冷却風）と熱交換させて、この加温された空気をノートパソコン等の筐体の外部に放出することにより、発熱部品を効果的に冷却するようにされている。
【０００３】
かかる従来の放熱ユニットにおいては、その放熱効果をより向上させるためにフィンの表面積を大きくすることが有効であり、限られた狭い空間内に狭い配列間隔で複数のフィンが配列されている。しかし、複数のフィンの配列間隔を狭くすると、ファンから送られてくる空気（冷却風）に含まれる細かい塵埃が、特に、放熱体のファンと対向する側（以下、空気（冷却風)が流入するため、流入側と称す）の面（すなわち、流入面）に付着し易くなる。そして、放熱体に付着した塵埃は、一旦付着してしまうと急速に堆積し易くなり、堆積した塵埃が放熱体の流入側の面全体を覆ってしまう。その結果、隣り合うフィンの間隙にファンからの冷却風を送り込むことが困難となり、放熱ユニットの放熱効果を著しく損ねてしまうことになる。
【０００４】
そこで、従来、以下のような、放熱体に付着した塵埃を除去する機構を備えた放熱ユニットが、特許文献１で提案されている。
【０００５】
すなわち、特許文献１で提案されている放熱ユニットは、図８に示すように、複数の流路５１が形成された、熱交換用の複数のフィン５２を有する放熱体５０と、放熱体５０の流入側に配置され、流路５１に挿通させて、放熱体５０に付着した塵埃を除去する掃除部材であるブラシ５３と、ブラシ５３を外郭部材５４に回動自在に支持するためのブラシ回動軸５５及びブラシ駆動軸５６と、ブラシ５３を駆動させることが可能な例えばモータ等のブラシ駆動部５７とを備えている。
【先行技術文献】
【特許文献】
【０００６】
【特許文献１】特開２００８−３０６００１号公報
【発明の概要】
【発明が解決しようとする課題】
【０００７】
しかし、特許文献１で提案されている放熱ユニットを搭載した電子機器では、ブラシやモータ等のブラシ駆動部などを新たに組み込む必要があるために、部品点数及び組立工数が増えると共に、これらの部品の収納スペースを確保する必要もあり、コスト高に繋がるという問題がある。また、特許文献１で提案されている放熱ユニットを搭載した電子機器では、部品点数が増えることにより、重量が増加するという問題もある。
【０００８】
本開示は、コストの上昇及び重量の増加を抑え、簡単な構成で、放熱体に付着した塵埃を除去することができる放熱ユニットを搭載した電子機器を提供することを目的とする。
【課題を解決するための手段】
【０００９】
本開示に係る電子機器の構成は、動作時に発熱する発熱部品を含む電子部品が収容された筐体と、発熱部品からの熱が伝達される複数のフィンを含む放熱体と、放熱体に空気を送るファンとを有し、放熱体に伝達された発熱部品からの熱を、ファンからの空気と熱交換させて、この加温された空気を筐体の外部に放出する放熱ユニットとを備えた電子機器であって、放熱体は、ファンの排気口に密着させて配置されており、放熱体の、ファンと対向する側の面と反対側の面に設けられ、この面を開閉する第１のシャッタ手段と、ファンのファンケースに、排気口とファン本体との間に位置して形成された開口部とを備えた。
【発明の効果】
【００１０】
本発明によれば、コストの上昇及び重量の増加を抑え、簡単な構成で、放熱体に付着した塵埃を除去することができる放熱ユニットを搭載した電子機器を提供することができる。
【図面の簡単な説明】
【００１１】
【図１】ノートパソコンの外観構成を示す概略斜視図である。
【図２】ノートパソコンに搭載する放熱ユニットの主要な構成を示す概略分解斜視図である。
【図３】放熱ユニットの構成を示す概略水平断面図である。
【図４】図３のＡ−Ａ’線概略断面図（概略垂直断面図）である。
【図５】同放熱ユニットの放熱体に付着した塵埃の除去方法を説明する概略垂直断面図である。
【図６】他の放熱ユニットにおける図３のＡ−Ａ’線概略断面図（概略垂直断面図）である。
【図７】同放熱ユニットの放熱体に付着した塵埃の除去方法を説明する概略垂直断面図である。
【図８】従来の放熱ユニットの構成を示す概略水平断面図である。
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を十分に理解するために添付図面および以下の説明を提供するのであって、これらによって特許請求の範囲に記載の主題を限定することを意図するものではない。
【００１４】
以下、実施の形態を用いて、電子機器がノートパソコンである場合を例示しながら、さらに具体的に説明する。
【００１５】
［電子機器の構成］
図１は、本実施の形態のノートパソコン１の外観構成を示す概略斜視図である。
【００１６】
図１に示すように、ノートパソコン１においては、内側面に液晶パネルなどの表示デバイス１２が配置された蓋体１０が、表面にキーボード２１やポインティングデバイス２２などの入力装置が配置された本体部２０に対して、ヒンジ機構１１を介して回動可能に取り付けられている。尚、以下の説明において、「上」とは、表示デバイス１２を備える蓋体１０を本体部２０に対しヒンジ機構１１の回動軸周りに閉蓋したときに、表示デバイス１２が本体部２０と対向する方向であって、本体部２０側から表示デバイス１２側に向かう向きであり、「下」とは、その逆の向きである。
【００１７】
本体部２０の内部には、ノートパソコン１の動作電源である図示しない二次電池や、主記録デバイスである図示しないハードディスクドライブ（ＨＤＤ）、その他の電気部品が配置されている。尚、ノートパソコン１は、例えば、無線ＬＡＮ通信のためのアンテナモジュールや、ブルーレイディスクやＤＶＤディスクに対応したディスクドライブ、ウェブカメラ素子、音声マイクやスピーカ、その他各種の入出力端子などを備えることができるが、これらの機能や形状は従来周知のノートパソコンと同様であるため、図示及び詳細な説明は省略する。
【００１８】
［放熱ユニットの構成］
次に、ノートパソコン１に搭載される放熱ユニット３０の構成について、図２〜図４を参照しながら説明する。図２は、放熱ユニット３０の主要な構成を示す概略分解斜視図、図３は、この放熱ユニット３０の構成を示す概略水平断面図、図４は、図３のＡ−Ａ’線概略断面図（概略垂直断面図）である。尚、図２においては、本体部２０の内部に配置された各種の電子部品の中でも、動作時に最も温度が高くなる代表的な発熱部品である中央処理装置（ＣＰＵ）２４と、ＣＰＵ２４の熱を本体部２０の外殻を構成する筐体２０ａの外部に放出する放熱ユニット３０の近傍のみを拡大して示している。
【００１９】
図２に示すように、ノートパソコン１の本体部２０の内部には、表面に配置されたキーボード２１の下側部分に、ＣＰＵ２４が回路基板２３上に実装されて配置されている。ＣＰＵ２４の上面には、ＣＰＵ２４の動作時に発生する熱を受け取る受熱部２５が配置されている。受熱部２５は、バネ状の脚部を有する固着部材２６によって、熱源であるＣＰＵ２４に押し付けられるように機械的及び熱的に固着されている。
【００２０】
受熱部２５には、受け取った熱を放熱ユニット３０に伝達するための、例えば銅製のヒートパイプ２７の一端部が接続されており、ヒートパイプ２７の他端部分は後述する放熱体３７の上面に機械的及び熱的に接続されている。ここで、ヒートパイプ２７は、例えば銅製の筒状でその内部には例えば熱伝導性の高い代替フロンなどの熱伝導媒体が封入されており、受熱部２５が受け取ったＣＰＵ２４からの熱を効率良く放熱体３７に伝達することができる。
【００２１】
放熱ユニット３０は、ＣＰＵ２４からの熱が伝達される複数のフィン３７ａを備えた放熱体３７と、放熱体３７に空気（冷却風）を送るファン３１とを有している。上述したように、放熱体３７の上面には、ヒートパイプ２７の他端部分が機械的及び熱的に接続されている。そして、放熱体３７に伝達されたＣＰＵ２４からの熱は、ファン３１からの空気（冷却風）と熱交換され、この加温された空気が筐体２０ａの外部に放出される。ここで、加温された空気は、放熱体３７の形状に対応させて筐体２０ａにスリットとして形成された放出口２８（図１、及び、後述する図３、図４参照）から、筐体２０ａの外部に放出される。また、ファン３１から放熱体３７に送られる空気（冷却風）は、ファンケース３２の上面に形成された吸入口３２ａから吸入される。
【００２２】
図２〜図４に示すように、ファン３１は、ファンケース３２の内部に収容されたファン本体３３が回転軸３４を軸心として回転し、ファンケース３２の上面に形成された吸入口３２ａから周囲の空気を取り込む。吸入口３２ａから吸入された空気は、排気口３２ｂと密着対向する放熱体３７側の流入面３７ｂから放熱体３７に導入される。放熱体３７に導入された空気は、複数のフィン３７ａが対向する間隙を冷却風として通過し、放熱体３７側の排気面から吹き出す。尚、図２〜図４に示したファン３１の全体形状や吸入口３２ａの形状、回転軸３４の周りを回るファン本体３３の形状等は例示に過ぎず、ファン３１としては、周囲の空気を吸入口から吸入して排気口から吹き出すことができるものであれば、従来用いられてきた各種の形態の空冷ファンを使用することができる。
【００２３】
放熱体３７は、熱伝導性が高い例えば銅などの金属製であり、複数の薄い板状のフィン３７ａが、ファン３１から筐体２０ａの外部に向けて吹き出される冷却風が流れる方向に沿って平行に形成されている。そして、放熱体３７のフィン３７ａの間隙を通過した冷却風は、放熱体３７の形状に対応させて筐体２０ａにスリットとして形成された放出口２８から、筐体２０ａの外部に放出される。尚、放熱体３７の下面は、ファン３１の排気口３２ｂの下面と面一であり、放熱体３７の大きさ、特に、ファン３１側から見た幅と高さとは、ファン３１の排気口３２ｂの幅と高さと同じにされている。そして、放熱体３７は、ファン３１のファンケース３２に設けられた排気口３２ｂに密着させて配置されている。
【００２４】
［１−１．塵埃除去機構］
次に、放熱ユニットを構成する塵埃除去機構について、図２〜図４を参照しながら説明する。
【００２５】
図２〜図４に示すように、本実施の形態の放熱ユニット３０においては、ファン３１のファンケース３２に設けられた排気口３２ｂに密着させて放熱体３７を配置する構成が採られている。このため、ファン３１のファン本体３３からの空気（冷却風）は、ファン３１の排気口３２ｂと放熱体３７との間から漏れることなく、放熱体３７の排気面から筐体２０ａの外部に放出される。
【００２６】
放熱体３７の排気面には、当該排気面を開閉する第１のシャッタ手段３９が設けられている。第１のシャッタ手段３９は、少なくとも放熱体３７の外郭を構成するフィン３７ａと密着するように構成され、第１のシャッタ手段３９を閉じた状態では、ファン３１からの空気（冷却風）を封じ込めている。
【００２７】
ファン３１のファンケース３２の下面には、排気口３２ｂとファン本体３３との間に位置して開口部３５が形成されている。
【００２８】
尚、第１のシャッタ手段３９としては、例えば、スライド開閉式、巻き取り開閉式、ヒンジ開閉式、ブラインド開閉式等、様々の方式のものを用いることができる。また、第１のシャッタ手段３９は、開閉スイッチ等を操作することにより、作動させることができる。
【００２９】
以上のように、塵埃除去機構は、放熱体３７を、ファン３１の排気口３２ｂに密着させて配置し、かつ、放熱体３７の排気面に設けられ、当該排気面を開閉する第１のシャッタ手段３９と、ファン３１のファンケース３２の下面に、排気口３２ｂとファン本体３３との間に位置して形成された開口部３５とを備えることにより構成されている。
【００３０】
このような構成の塵埃除去機構を設ければ、ファン３１が駆動している状態で、放熱体３７の排気面を開閉する第１のシャッタ手段３９を閉状態にすることにより、ファン３１のファン本体３３からの空気の流れる方向を、ファン本体３３から放熱体３７へ向かう方向から、放熱体３７の流入面３７ｂに沿って開口部３５へ向かう方向に変化させることができる。そして、これにより、放熱体３７の流入面３７ｂに付着した塵埃に対して開口部３５へと移動する方向にファン本体３３からの空気（冷却風）が当たるので、放熱体３７を構成する複数のフィン３７ａにおける冷却風が流入する側の端面の流入面３７ｂに付着した塵埃を除去して、開口部３５からファンケース３２の外部に排出することができる。その結果、コストの上昇及び重量の増加を抑え、簡単な構成で、放熱体３７に付着した塵埃を除去することができる放熱ユニット３０を搭載したノートパソコン１を提供することが可能となる。
【００３１】
［１−２．塵埃の除去方法］
次に、ノートパソコン１に搭載された放熱ユニット３０の放熱体３７に付着した塵埃の除去方法について、図５に示す概略垂直断面図を参照しながら説明する。
【００３２】
ＣＰＵ２４などの発熱部品が動作して発生した熱を、放熱体３７から放熱するためにファン３１が動作している状態では、図５（ａ）に示すように、放熱体３７の排気面を開閉する第１のシャッタ手段３９は開状態となっており（開状態の第１のシャッタ手段３９を破線で示している）。また、ファン３１から送風される空気（冷却風）が放熱体３７に向かって流れるとき、放熱体３７への流入面３７ｂに塵埃の付着が進行していなければ、ファン３１が放熱体３７に送風する空気（冷却風）の流れに引き寄せられ、破線で示したように、開口部３５からも空気（冷却風）が流入する。空気（冷却風）が開口部３５から流入するのは、上述したように放熱体３７に塵埃の堆積が少ない場合であり、堆積量が多くなると、開口部３５から空気（冷却風）が流出する。このことから、開口部３５からの空気流れを検知して、第１のシャッタ手段３９の開閉を切り替えることもできる。
【００３３】
このため、ファン３１のファン本体３３から流れる空気（冷却風）は、開口部３５からの流入も併せて、そのまま放熱体３７を経由して、ＣＰＵ２４などの発熱部品が動作して発生した熱と共に放出口２８から筐体２０ａの外部に放出される。
【００３４】
放熱体３７の流入面３７ｂに付着した塵埃を除去する場合には、図５（ｂ）に示すように、ファン３１が駆動している状態で、放熱体３７の排気面を開閉する第１のシャッタ手段３９を閉状態にする（閉状態の第１のシャッタ手段３９を実線で示している）。
【００３５】
これにより、ファン３１のファン本体３３からの空気の流れる方向が、ファン本体３３から放熱体３７へ向かう方向から、放熱体３７の流入面３７ｂに沿って開口部３５へ向かう方向に変化する。その結果、放熱体３７の流入面３７ｂに付着した塵埃に対して開口部３５へと移動する方向にファン本体３３からの空気（冷却風）が当たるので、放熱体３７を構成する複数のフィン３７ａにおける冷却風が流入する側の端面の流入面３７ｂに付着した塵埃が除去される。そして、放熱体３７から除去された塵埃は、開口部３５へ向かう空気（冷却風）と一緒に、そのまま開口部３５からファンケース３２の外部に排出される。
【００３６】
尚、本実施の形態においては、ファン３１のファンケース３２の下面に開口部３５が形成されている場合を例に挙げて説明したが、必ずしもかかる構成のものに限定されるものではない。開口部３５は、排気口３２ｂとファン本体３３との間に位置していれば、ファンケース３２の上面又は側面に形成されていてもよい。いずれの面に開口部３５が形成されていても、放熱体３７の排気側を開閉する第１のシャッタ手段３９を閉状態にすることにより、ファン３１のファン本体３３からの空気の流れる方向を、ファン本体３３から放熱体３７へ向かう方向から、放熱体３７の流入面３７ｂにおける冷却風が流入する側に沿って開口部３５へ向かう方向に変化させることができる。そして、これにより、放熱体３７の流入面３７ｂに付着した塵埃に対して開口部３５へと移動する方向にファン本体３３からの空気（冷却風）が当たるので、放熱体３７の流入面３７ｂに付着した塵埃を除去して、開口部３５からファンケース３２の外部に排出することができる。但し、開口部３５をファンケース３２の下面に形成しておけば、塵埃の自重も手伝って開口部３５から排出され易くなるので、開口部３５は、ファンケース３２の下面に形成することもできる。
【００３７】
［２−１．塵埃除去機構］
次に、放熱ユニットを構成する塵埃除去機構の他の構成について、図２、図３および図６を参照しながら説明する。
【００３８】
図２、図３および図６に示すように、放熱ユニット３０においては、ファン３１のファンケース３２に設けられた排気口３２ｂに密着させて放熱体３７を配置する構成が採られている。このため、ファン３１のファン本体３３からの空気（冷却風）は、ファン３１の排気口３２ｂと放熱体３７との間から漏れることなく、放熱体３７の排気面から筐体２０ａの外部に放出される。
【００３９】
放熱体３７の排気面には、当該排気面を開閉する第１のシャッタ手段３９が設けられている。第１のシャッタ手段３９は、少なくとも放熱体３７の外郭を構成するフィン３７ａと密着するように構成され、第１のシャッタ手段３９を閉じた状態では、ファン３１からの空気（冷却風）を封じ込めている。
【００４０】
ファン３１のファンケース３２の下面には、排気口３２ｂとファン本体３３との間に位置して開口部３５が形成されている。そして、開口部３５には、当該開口部３５を開閉する第２のシャッタ手段４０が設けられている。この第２のシャッタ手段４０の各外郭辺も、開口部３５と密着するように構成され、第２のシャッタ手段４０を閉じた状態では、ファン３１からの空気（冷却風）を封じ込めている。
【００４１】
尚、第１及び第２のシャッタ手段３９、４０としては、例えば、スライド開閉式、巻き取り開閉式、ヒンジ開閉式、ブラインド開閉式等、様々の方式のものを用いることができる。また、第１及び第２のシャッタ手段３９、４０は、開閉スイッチ等を操作することにより、作動させることができる。
【００４２】
以上のように、塵埃除去機構は、放熱体３７を、ファン３１の排気口３２ｂに密着させて配置し、かつ、放熱体３７の排気面に設けられ、当該排気面を開閉する第１のシャッタ手段３９と、ファン３１のファンケース３２の下面に、排気口３２ｂとファン本体３３との間に位置して形成された開口部３５と、開口部３５に設けられ、当該開口部３５を開閉する第２のシャッタ手段４０とを備えることにより構成されている。
【００４３】
このような構成の塵埃除去機構を設ければ、ファン３１が駆動している状態で、放熱体３７の排気面を開閉する第１のシャッタ手段３９を閉状態にし、ファンケース３２の下面に形成された開口部３５を開閉する第２のシャッタ手段４０を開状態にすることにより、ファン３１のファン本体３３からの空気の流れる方向を、ファン本体３３から放熱体３７へ向かう方向から、放熱体３７の流入面３７ｂに沿って開口部３５へ向かう方向に変化させることができる。そして、これにより、放熱体３７の流入面３７ｂに付着した塵埃に対して開口部３５へと移動する方向にファン本体３３からの空気（冷却風）が当たるので、放熱体３７を構成する複数のフィン３７ａにおける冷却風が流入する側の端面の流入面３７ｂに付着した塵埃を除去して、開口部３５からファンケース３２の外部に排出することができる。その結果、コストの上昇及び重量の増加を抑え、簡単な構成で、放熱体３７に付着した塵埃を除去することができる放熱ユニット３０を搭載したノートパソコン１を提供することが可能となる。
【００４４】
［２−２．塵埃の除去方法］
次に、ノートパソコン１に搭載された放熱ユニット３０の放熱体３７に付着した塵埃の除去方法について、図７に示す概略垂直断面図を参照しながら説明する。
【００４５】
ＣＰＵ２４などの発熱部品が動作して発生した熱を、放熱体３７から放熱するためにファン３１が動作している状態では、図７（ａ）に示すように、放熱体３７の排気面を開閉する第１のシャッタ手段３９は開状態となっており（開状態の第１のシャッタ手段３９を破線で示している）、ファンケース３２の下面に形成された開口部３５を開閉する第２のシャッタ手段４０は閉状態となっている（閉状態の第２のシャッタ手段４０を実線で示している）。
【００４６】
このため、ファン３１のファン本体３３から流れる空気（冷却風）は、そのまま放熱体３７を経由して、ＣＰＵ２４などの発熱部品が動作して発生した熱と共に放出口２８から筐体２０ａの外部に放出される。
【００４７】
放熱体３７の流入面３７ｂに付着した塵埃を除去する場合には、図７（ｂ）に示すように、ファン３１が駆動している状態で、放熱体３７の排気面を開閉する第１のシャッタ手段３９を閉状態にし（閉状態の第１のシャッタ手段３９を実線で示している）、ファンケース３２の下面に形成された開口部３５を開閉する第２のシャッタ手段４０を開状態にする（開状態の第２のシャッタ手段４０を破線で示している）。
【００４８】
これにより、ファン３１のファン本体３３からの空気の流れる方向が、ファン本体３３から放熱体３７へ向かう方向から、放熱体３７の流入面３７ｂに沿って開口部３５へ向かう方向に変化する。その結果、放熱体３７の流入面３７ｂに付着した塵埃に対して開口部３５へと移動する方向にファン本体３３からの空気（冷却風）が当たるので、放熱体３７を構成する複数のフィン３７ａにおける冷却風が流入する側の端面の流入面３７ｂに付着した塵埃が除去される。そして、放熱体３７から除去された塵埃は、開口部３５へ向かう空気（冷却風）と一緒に、そのまま開口部３５からファンケース３２の外部に排出される。
【００４９】
尚、ノートパソコン１に搭載された放熱ユニット３０においては、ファン３１のファンケース３２の下面に開口部３５が形成されている場合を例に挙げて説明したが、必ずしもかかる構成のものに限定されるものではない。開口部３５は、排気口３２ｂとファン本体３３との間に位置していれば、ファンケース３２の上面又は側面に形成されていてもよい。いずれの面に開口部３５が形成されていても、放熱体３７の排気側を開閉する第１のシャッタ手段３９を閉状態にし、ファンケース３２に形成された開口部３５を開閉する第２のシャッタ手段４０を開状態にすることにより、ファン３１のファン本体３３からの空気の流れる方向を、ファン本体３３から放熱体３７へ向かう方向から、放熱体３７の流入面３７ｂにおける冷却風が流入する側に沿って開口部３５へ向かう方向に変化させることができる。そして、これにより、放熱体３７の流入面３７ｂに付着した塵埃に対して開口部３５へと移動する方向にファン本体３３からの空気（冷却風）が当たるので、放熱体３７の流入面３７ｂに付着した塵埃を除去して、開口部３５からファンケース３２の外部に排出することができる。但し、開口部３５をファンケース３２の下面に形成しておけば、塵埃の自重も手伝って開口部３５から排出され易くなるので、開口部３５は、ファンケース３２の下面に形成することもできる。
【００５０】
また、上述の実施の形態においては、電子機器として、本体部２０に対して内側面に表示デバイス１２が配置された蓋体１０が回動可能に取り付けられた形態のノートパソコン１を例に挙げて説明したが、電子機器はこのようなノートパソコン１に限定されるものではない。例えば、タブレット型のパソコンや、携帯電話、携帯用ゲーム機、小型のテレビ受像器やブルーレイディスクプレイヤ、ナビゲーションシステムなどの各種携帯型の電子機器、さらには、デスクトップパソコンや液晶プロジェクタなどの据え置きタイプの各種の電子機器であってもよい。
【００５１】
また、上述の実施の形態においては、動作中に発熱する発熱部品としてＣＰＵ２４を例に挙げて説明したが、発熱部品はＣＰＵ２４に限定されるものではない。ビデオボードなどの画像処理用の半導体チップや二次電池など、その発熱を筐体の外部に放出すべき各種の発熱部品が対象となり得る。
【００５２】
また、上述の実施の形態においては、ＣＰＵ２４からの熱を、ヒートパイプ２７を用いて放熱体３７に伝達する場合を例に挙げて説明したが、放熱体３７を直接発熱部品であるＣＰＵ２４に熱伝導可能に接触配置させることもできる。
【００５３】
以上のように、この電子機器の構成によれば、ファンが駆動している状態で、放熱体の、ファンと対向する側の面と反対側の面（放熱体の排気面）を開閉する第１のシャッタ手段を閉状態にすることにより、ファンのファン本体からの空気の流れる方向を、ファン本体から放熱体へ向かう方向から、放熱体の、ファンと対向する側の面（放熱体へ冷却風が流入する流入面）に沿って開口部へ向かう方向に変化させることができる。そして、これにより、放熱体の流入面に付着した塵埃に対して開口部へと移動する方向にファン本体からの空気（冷却風）が当たるので、放熱体を構成する複数のフィンにおける冷却風が流入する側の端面の流入面に付着した塵埃を除去して、開口部からファンケースの外部に排出することができる。その結果、コストの上昇及び重量の増加を抑え、簡単な構成で、放熱体に付着した塵埃を除去することができる放熱ユニットを搭載した電子機器を提供することが可能となる。
【００５４】
また、この電子機器の構成によれば、ファンケースに形成された開口部を開閉する第２のシャッタ手段を閉状態にすることで、塵埃を除去する必要が無い場合は、フィンに当たる冷却風の量を向上させることができる。
【００５５】
以上のように、本開示における技術の例示として、実施の形態を説明した。そのために、添付図面および詳細な説明を提供した。
【００５６】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５７】
また、上述の実施の形態は、本開示における技術を例示するためのものであるから、特許請求の範囲またはその均等の範囲において種々の変更、置き換え、付加、省略などを行うことができる。
【産業上の利用可能性】
【００５８】
本開示によれば、コストの上昇及び重量の増加を抑え、簡単な構成で、放熱体に付着した塵埃を除去することができる放熱ユニットを搭載した電子機器を提供することができる。従って、本開示は、筐体内の発熱部品からの熱を外部に放出する際にファンからの冷却風を効果的に使用することができる高い放熱効果を備えた電子機器として、例えば、タブレット型のパソコンや、携帯電話、携帯用ゲーム機、テレビ受像器、光ディスク記録再生装置、光ディスク再生装置、ナビゲーションシステム、デスクトップパソコン、液晶プロジェクタなどの各種用途に適用可能である。
【符号の説明】
【００５９】
１  ノートパソコン（電子機器）
２０  本体部
２０ａ  筐体
２４  ＣＰＵ（発熱部品）
３０  放熱ユニット
３１  ファン
３２  ファンケース
３２ｂ  排気口
３５  開口部
３７  放熱体
３７ａ  フィン
３７ｂ  流入面
３９  第１のシャッタ手段
４０  第２のシャッタ手段
【図１】
0005919568.tif 000002
【図２】
0005919568.tif 000003
【図３】
0005919568.tif 000004
【図４】
0005919568.tif 000005
【図５】
0005919568.tif 000006
【図６】
0005919568.tif 000007
【図７】
0005919568.tif 000008
【図８】
0005919568.tif 000009